(57)【要約】【課題】出力電圧に対する信頼性を高めると共に、過電圧保護動作に対する信頼性の向上も図る。【解決手段】負荷４に出力される出力電圧Ｖｏｕｔを間接的に検出する出力電圧検出回路１０を設け、出力電圧検出回路１０の出力側には、出力電圧Ｖｏｕｔの間接検出に起因した入力電圧Ｖｉｎの差違に因る出力電圧Ｖｏｕｔに対する出力電圧検出回路１０の検出電圧Ｖｄのずれを補正するための補正電圧出力回路２５を接続する。その補正された検出電圧Ｖｄに基づいてメインスイッチ素子Ｑのスイッチング制御を行う制御回路１７を設ける。出力電圧検出回路１０は、整流平滑された電圧を分圧する抵抗体から成る分圧回路を有し、分圧回路の互いに異なる分圧出力位置に、制御回路１７の検出電圧導入入力部と、過電圧保護動作を行う過電圧保護回路３０の過電圧検出入力部とを、それぞれ、接続する。【選択図】　　　　図１
2004104920.tif 000002
【特許請求の範囲】
【請求項１】
トランスの一次コイル側に設けられたメインスイッチ素子のスイッチング動作によって、トランスの二次コイルから出力される電圧を整流平滑して外部に出力する構成を備えると共に、トランスの三次コイルから出力される電圧を整流平滑し当該整流平滑電圧に基づいた電圧を前記外部への出力電圧の検出電圧として間接的に検出出力する出力電圧検出回路と、この出力電圧検出回路による検出電圧を利用して前記外部への出力電圧を安定化すべくメインスイッチ素子のスイッチング制御を行う制御回路とが設けられており、さらに、トランスから出力される電圧を利用して、トランスの一次コイルに入力する電圧の差違に起因した前記外部への出力電圧に対する出力電圧検出回路の検出電圧のずれを補正するための補正電圧を出力電圧検出回路の出力側に加える補正電圧出力回路と、外部への出力電圧が過電圧状態であることを検知したときに過電圧保護動作を行う過電圧保護回路とが設けられているスイッチング電源装置であって、出力電圧検出回路は、三次コイルの出力電圧を整流平滑した後の電圧を分圧する分圧回路を有し、この分圧回路に補正電圧出力回路が接続され、また、分圧回路の互いに異なる分圧出力位置に、それぞれ、前記補正電圧出力回路によって補正された前記検出電圧を導入する制御回路の入力部と、過電圧保護回路の過電圧検出入力部とが接続されていることを特徴とするスイッチング電源装置。
【発明の詳細な説明】
【０００１】
【発明の属する技術分野】
本発明は、出力電圧を間接制御するタイプのスイッチング電源装置に関するものである。
【０００２】
【背景技術】
スイッチング電源装置の一回路構成例が図７に示されている（特許文献１参照）。スイッチング電源装置１はトランス２を有し、このトランス２の一次コイルＮ１にはメインスイッチ素子（例えばＭＯＳ−ＦＥＴ）Ｑが接続されている。また、トランス２の二次コイルＮ２には二次側出力回路３が接続されている。二次側出力回路３は、メインスイッチ素子Ｑのスイッチング動作に基づいて二次コイルＮ２から出力された電圧を整流平滑し当該整流平滑した直流電圧を出力電圧Ｖｏｕｔとして外部の負荷４に出力する回路である。この二次側出力回路３は、整流素子であるダイオード５，６と、平滑コンデンサ７と、チョークコイル８とを有して構成されている。
【０００３】
さらに、トランス２には三次コイルＮ３が設けられており、三次コイルＮ３には出力電圧検出回路１０が接続されている。出力電圧検出回路１０は、整流素子であるダイオード１１，１２と、チョークコイル１３と、平滑コンデンサ１４と、分圧抵抗体１５，１６とを有して構成されている。この出力電圧検出回路１０は、三次コイルＮ３から出力された電圧をダイオード１１，１２とチョークコイル１３と平滑コンデンサ１４により整流平滑し、該整流平滑電圧を分圧抵抗体１５，１６により分圧し当該分圧電圧を出力電圧Ｖｏｕｔの検出電圧Ｖｄとして出力する。
【０００４】
メインスイッチ素子Ｑには制御回路１７が接続されている。制御回路１７は、出力電圧検出回路１０から出力された検出電圧Ｖｄを利用して、出力電圧Ｖｏｕｔを設定電圧に安定化すべくメインスイッチ素子Ｑのスイッチング制御を行うものであり、誤差増幅器２０と、コンパレータ２１と、基準電圧源２２と、三角波発振回路２３とを有して構成されている。
【０００５】
ところで、二次側出力回路３のダイオード５，６は二次コイルＮ２に誘起される電圧に対応する素子が採用され、また、出力電圧検出回路１０のダイオード１１，１２は三次コイルＮ３に誘起される電圧に対応する素子が採用されるので、二次コイルＮ２の誘起電圧と三次コイルＮ３の誘起電圧とが異なると、必然的に、二次側出力回路３のダイオード５，６と、出力電圧検出回路１０のダイオード１１，１２とは、それぞれ、耐電圧や順方向電圧や逆方向電流などの特性が異なる素子により構成されることになる。この二次側出力回路３側と出力電圧検出回路１０側との整流素子（ダイオード）の特性の違いのために、例えば、複数のスイッチング電源装置１が何れも同じ回路構成であるのにも拘わらず、入力電圧Ｖｉｎが変動するとスイッチング電源装置１から出力される出力電圧Ｖｏｕｔが大きく変動するという問題が生じる。
【０００６】
それというのは、スイッチング電源装置１から出力される出力電圧Ｖｏｕｔは、図９の実線Ｓに示されるように、スイッチング電源装置１に接続される入力電源９の入力電圧Ｖｉｎによらずに一定であることが望ましい。しかしながら、整流素子であるダイオード５，６とダイオード１１，１２との特性の違いのために、出力電圧Ｖｏｕｔが同じであるのに、入力電圧Ｖｉｎの差違により出力電圧検出回路１０から出力される検出電圧Ｖｄが異なってしまう。換言すれば、出力電圧Ｖｏｕｔに対する出力電圧検出回路１０の検出電圧Ｖｄにずれが生じてしまう。このような検出電圧Ｖｄに基づいて制御回路１７がメインスイッチ素子Ｑのスイッチング制御を行うので、図９の点線ａに示されるように入力電圧Ｖｉｎが大きくなるにつれて出力電圧Ｖｏｕｔが低くなる事態が生じたり、図９の鎖線ｂに示されるように入力電圧Ｖｉｎが大きくなるに従って出力電圧Ｖｏｕｔが高くなる事態が発生してしまう。つまり、スイッチング電源装置１から出力される電圧Ｖｏｕｔが、接続される入力電源９の入力電圧Ｖｉｎに応じて異なってしまうという問題が生じる。
【０００７】
そこで、図７のスイッチング電源装置１では、トランス２に補助コイルＮｓを設けると共に、補助コイルＮｓに接続する補正電圧出力回路２５を設けている。補正電圧出力回路２５は、ダイオード２６と、コンデンサ２７と、抵抗体２８とを有して構成されている。この補正電圧出力回路２５では、ダイオード２６とコンデンサ２７が補助コイルＮｓに誘起された電圧を整流平滑し、抵抗体２８がその整流平滑した電圧を降下する。補正電圧出力回路２５の出力側は出力電圧検出回路１０の出力側に接続されており、補正電圧出力回路２５は、抵抗体２８を介して出力される電圧を出力電圧検出回路１０の検出回路Ｖｄに重畳する。補助コイルＮｓには、入力電圧Ｖｉｎに応じた電圧が誘起されることから、抵抗体２８の抵抗値を適宜に設定することで、入力電圧Ｖｉｎの差違に起因した出力電圧Ｖｏｕｔに対する検出電圧Ｖｄのずれを補正することができる。
【０００８】
なお、図７に示すように、出力電圧検出回路１０の分圧抵抗体１５に並列的に補正電圧出力回路２５を接続した場合には、図９の点線ａに示すような入力電圧Ｖｉｎの差違に起因した出力電圧Ｖｏｕｔの変化傾向を補正することができる。また、図８に示すように、出力電圧検出回路１０の分圧抵抗体１６に並列的に補正電圧出力回路２５を接続することにより、図９の鎖線ｂに示すような入力電圧Ｖｉｎの差違に起因した出力電圧Ｖｏｕｔの変化傾向を補正することができる。
【０００９】
【特許文献１】
特開２００１−２５２４５号公報
【００１０】
【発明が解決しようとする課題】
ところで、何らかの原因によって、スイッチング電源装置１から負荷４に出力される出力電圧Ｖｏｕｔが非常に高くなり、この状態が継続されてしまう異常事態（これを過電圧状態という）が発生することがある。その過電圧状態に起因してスイッチング電源装置１や負荷４の破損を招く虞があるので、その過電圧状態に起因した問題発生を防止するために、図７や図８の点線に示されるような過電圧保護回路３０を設けることがある。この過電圧保護回路３０は、出力電圧検出回路１０の平滑コンデンサ１４に並列的に接続されており、出力電圧検出回路１０のダイオード１１，１２とチョークコイル１３と平滑コンデンサ１４により整流平滑された電圧Ｖｋを出力電圧Ｖｏｕｔの検出電圧として取り込む。そして、過電圧保護回路３０は、その取り込んだ電圧Ｖｋが過電圧検知用の設定電圧よりも高い状態が設定の期間よりも長く継続されていることを検知したときに、過電圧状態であると判断して、例えばスイッチング電源装置１をラッチ停止させる。
【００１１】
このような過電圧保護回路３０の過電圧保護動作に関して、図７や図８の回路構成では、補正電圧出力回路２５が設けられているために、次に示すような問題が生じる。例えば、入力電源９の入力電圧Ｖｉｎが電圧Ｖａである場合には、出力電圧Ｖｏｕｔが電圧Ｖα以上である期間が継続したときに過電圧保護回路３０によって過電圧保護動作であるラッチ停止が成されるのに対して、入力電源９の入力電圧Ｖｉｎが前記電圧Ｖａとは異なる電圧Ｖｂである場合には、出力電圧ｏｕｔが前記電圧Ｖαとは異なる電圧Ｖβ以上である期間が継続したときに過電圧保護回路３０によって過電圧保護動作が成されるという如く、入力電源９の入力電圧Ｖｉｎの差違によって、過電圧保護回路３０が過電圧保護動作を行う出力電圧Ｖｏｕｔの基準動作点電圧Ｖｐが異なってしまうという問題が生じる。それというのは、次に示すような理由に因る。
【００１２】
すなわち、図７や図８の回路例では、制御回路１７は、出力電圧検出回路１０から加えられる検出電圧Ｖｄが予め定められた設定の電圧（例えば基準電圧源２２の基準電圧）となるようにメインスイッチ素子Ｑのスイッチング制御を行うことで、出力電圧Ｖｏｕｔを設定電圧に安定化するための回路である。このため、図１１のタイムチャートのＡ部分に示されるように、出力電圧Ｖｏｕｔが変動したときには、出力電圧検出回路１０の検出電圧Ｖｄはその出力電圧Ｖｏｕｔの変動に追従して変動するが、この検出電圧Ｖｄの変動により、制御回路１７によって検出電圧Ｖｄが設定の電圧となるようにメインスイッチ素子Ｑのスイッチング制御が行われるので、検出電圧Ｖｄはすぐに設定の電圧に回復する。つまり、出力電圧検出回路１０の検出電圧Ｖｄは、制御回路１７のスイッチング制御動作によって、出力電圧Ｖｏｕｔの不安定期間Ａを除いて、ほぼ一定の電圧に安定している。
【００１３】
しかし、例えば、何らかの異常事態が発生し、これにより、出力電圧Ｖｏｕｔが正常な状態であるのにも拘わらず、図１１のＢ部分のように、出力電圧検出回路１０の検出電圧Ｖｄが低下すると、制御回路１７は、その検出電圧Ｖｄを設定電圧に上昇させるべくメインスイッチ素子Ｑのスイッチング制御を行うことになる。この制御回路１７のスイッチング制御により出力電圧検出回路１０の検出電圧Ｖｄは設定電圧あるいはその設定電圧の近傍の電圧に回復することができるが、出力電圧Ｖｏｕｔは、制御回路１７のスイッチング制御によって、設定電圧よりも高くなってしまい、この状態が継続されてしまうと、過電圧状態となる。
【００１４】
一方、このような過電圧状態では、前記の如く、出力電圧検出回路１０から制御回路１７に加えられる検出電圧Ｖｄは、設定電圧又はその近傍の電圧となっているが、三次コイルＮ３に誘起される電圧は出力電圧Ｖｏｕｔと同様に上昇して過電圧状態となるために、出力電圧検出回路１０から過電圧保護回路３０に加えられる電圧Ｖｋは、出力電圧Ｖｏｕｔと同様に上昇し過電圧状態となるので、過電圧保護回路３０は、過電圧を検出することができて過電圧保護動作を行うことができる。
【００１５】
ところで、前述したように、制御回路１７は、入力電圧Ｖｉｎの差違に拘わらず、出力電圧検出回路１０の検出電圧Ｖｄが設定電圧となるように制御動作を行うので、補正電圧出力回路２５が設けられていない場合には、出力電圧検出回路１０から過電圧保護回路３０に加えられる電圧Ｖｋは変動するものの、図１０のグラフの実線αに示されるように、電圧Ｖｋの値は、入力電圧Ｖｉｎが異なっても、制御回路１７の制御動作に起因して変動は小さく、ほぼ一定となる。
【００１６】
これに対して、補正電圧出力回路２５が設けられている場合には、制御回路１７は、その補正電圧出力回路２５により補正された検出電圧Ｖｄが設定の電圧となるようにメインスイッチ素子Ｑのスイッチング制御を行い、出力電圧Ｖｏｕｔを一定にする。従って、出力電圧検出回路１０から過電圧保護回路３０に加えられる電圧Ｖｋは、入力電圧Ｖｉｎの差違によって変化してしまう。
【００１７】
この入力電圧Ｖｉｎの差違に起因した出力電圧Ｖｏｕｔに対する電圧Ｖｋの違いによって、過電圧保護回路３０が過電圧保護動作を行う出力電圧Ｖｏｕｔの基準動作点電圧Ｖｐが、入力電圧Ｖｉｎの差違によって、変化してしまう事態が発生する。
【００１８】
この発明は上記課題を解決するために成されたものであり、その目的は、入力電圧の差違によって出力電圧が異なってしまうという問題を防止すると共に、入力電圧の差違によらずに過電圧保護動作を行う際の出力電圧Ｖｏｕｔの基準動作点電圧を一定にできて過電圧保護動作の精度向上が可能なスイッチング電源装置を提供することにある。
【００１９】
【課題を解決するための手段】
上記目的を達成するために、この発明は次に示す構成をもって前記課題を解決するための手段としている。すなわち、この発明は、トランスの一次コイル側に設けられたメインスイッチ素子のスイッチング動作によって、トランスの二次コイルから出力される電圧を整流平滑して外部に出力する構成を備えると共に、トランスの三次コイルから出力される電圧を整流平滑し当該整流平滑電圧に基づいた電圧を前記外部への出力電圧の検出電圧として間接的に検出出力する出力電圧検出回路と、この出力電圧検出回路による検出電圧を利用して前記外部への出力電圧を安定化すべくメインスイッチ素子のスイッチング制御を行う制御回路とが設けられており、さらに、トランスから出力される電圧を利用して、トランスの一次コイルに入力する電圧の差違に起因した前記外部への出力電圧に対する出力電圧検出回路の検出電圧のずれを補正するための補正電圧を出力電圧検出回路の出力側に加える補正電圧出力回路と、外部への出力電圧が過電圧状態であることを検知したときに過電圧保護動作を行う過電圧保護回路とが設けられているスイッチング電源装置であって、出力電圧検出回路は、三次コイルの出力電圧を整流平滑した後の電圧を分圧する分圧回路を有し、この分圧回路に補正電圧出力回路が接続され、また、分圧回路の互いに異なる分圧出力位置に、それぞれ、前記補正電圧出力回路によって補正された前記検出電圧を導入する制御回路の入力部と、過電圧保護回路の過電圧検出入力部とが接続されていることを特徴としている。
【００２０】
【発明の実施の形態】
以下に、この発明に係る実施形態例を図面に基づいて説明する。なお、この実施形態例の説明において、図７に示すスイッチング電源装置と同一構成部分には同一符号を付し、その共通部分の重複説明は省略する。
【００２１】
この実施形態例のスイッチング電源装置１では、図１に示されるように、出力電圧検出回路１０は、ダイオード１１，１２とチョークコイル１３と平滑コンデンサ１４を有すると共に、抵抗体Ｒ１，Ｒ２，Ｒ３から成る分圧回路が設けられている。その分圧回路は、ダイオード１１，１２とチョークコイル１３と平滑コンデンサ１４によって整流平滑された後の電圧を分圧する回路である。この分圧回路の抵抗体Ｒ１，Ｒ２，Ｒ３は、高電位側の部位Ｙから基準電位の部位Ｘ側に向けて、順に配置されている。
【００２２】
この図１に示す回路例では、補正電圧出力回路２５を出力電圧検出回路１０の出力側に接続して図９の点線ａに示すような入力電圧Ｖｉｎと出力電圧Ｖｏｕｔの関係を実線Ｓに示すような関係に補正する場合の回路例であり、補正電圧出力回路２５は、出力電圧検出回路１０の分圧回路の抵抗体Ｒ１に並列的に接続されている。
【００２３】
また、制御回路１７の検出電圧Ｖｄの導入入力部は、出力電圧検出回路１０の抵抗体Ｒ２，Ｒ３の接続部Ｐｓに接続されており、ダイオード１１，１２とチョークコイル１３と平滑コンデンサ１４により整流平滑された電圧が抵抗体Ｒ１，Ｒ２，Ｒ３によって分圧された電圧Ｖｄが制御回路１７に加えられる。その出力電圧検出回路１０における抵抗体Ｒ２，Ｒ３の接続部（分圧出力位置）Ｐｓから制御回路１７に加えられる電圧Ｖｄは、補正電圧出力回路２５による補正が成されている電圧である。
【００２４】
過電圧保護回路３０の過電圧検出入力部は、制御回路１７が接続されている出力電圧検出回路１０の分圧出力位置Ｐｓよりも高電位側の分圧出力位置（つまり、接続部Ｒ１，Ｒ２の接続部）Ｐｋに接続されている。その分圧出力位置Ｐｋから過電圧保護回路３０に加えられる電圧Ｖｋ’は、補正電圧出力回路２５による補正が成されている電圧であるので、出力電圧Ｖｏｕｔに対する電圧Ｖｋ’の値は、入力電圧Ｖｉｎの差違に関係なく、一定となる。これにより、入力電圧Ｖｉｎが異なってしまっても、過電圧保護回路３０が過電圧保護動作を行う出力電圧Ｖｏｕｔの基準動作点電圧Ｖｐは変化せずに一定となる。
【００２５】
ところで、過電圧保護回路３０が出力電圧検出回路１０の分圧回路に接続する位置は、補正電圧出力回路２５による補正が成されている電圧を検出することができる分圧出力位置であれば何処の位置でも良いという訳ではない。すなわち、出力電圧検出回路１０における過電圧保護回路３０の接続位置は、制御回路１７の検出電圧Ｖｄの導入入力部に接続する位置を避けた分圧回路の分圧出力位置となっている。
【００２６】
それというのは、制御回路１７の検出電圧導入入力部が接続する出力電圧検出回路１０の分圧出力位置Ｐｓの電圧Ｖｄは、制御回路１７の制御動作によって設定の電圧となるように制御されるので、出力電圧Ｖｏｕｔが過電圧状態であるのにも拘わらず、制御回路１７に入力する電圧Ｖｄが過電圧状態の出力電圧Ｖｏｕｔに応じた高い電圧とならない場合や、その高い電圧が継続しない場合があることが考えられる（図１１参照）。このため、過電圧保護回路３０の過電圧検出入力部を制御回路１７の検出電圧導入入力部と同じ位置に接続してしまうと、過電圧を検出することができない虞がある。このことから、補正電圧出力回路２５は、出力電圧Ｖｏｕｔの過電圧状態を検出することができるように、出力電圧Ｖｏｕｔに応じて電圧が変化する出力電圧検出回路１０の分圧回路の部分、つまり、制御回路１７が接続する接続部Ｐｓよりも高電位側の出力電圧検出回路１０の分圧出力位置に接続されている。
【００２７】
なお、この発明はこの実施形態例の形態に限定されるものではなく、様々な実施の形態を採り得る。例えば、この実施形態例では、トランス２に補助コイルＮｓを設け、補正電圧出力回路２５は、その補助コイルＮｓの電圧を利用して、出力電圧Ｖｏｕｔに対する出力電圧検出回路１０の検出電圧Ｖｄのずれを補正する回路であったが、例えば、図２に示されるように、補助コイルＮｓを省略し、ダイオード２６とコンデンサ２７と抵抗体２８から成る補正電圧出力回路２５は、三次コイルＮ３に誘起される電圧を利用して、出力電圧Ｖｏｕｔに対する出力電圧検出回路１０の検出電圧Ｖｄのずれを補正する回路構成としてもよい。この場合には、補助コイルＮｓを省略したので、部品点数を削減することができるし、また、スイッチング電源装置１の小型化を図ることができる。
【００２８】
また、この実施形態例では、出力電圧検出回路１０は、ダイオード１１，１２のアノード同士が接続されているものであったが、図３に示されるように、ダイオード１１，１２のカソード同士が接続されている構成としてもよい。
【００２９】
さらに、この実施形態例では、補正電圧出力回路２５によって、図９の点線ａに示すような出力電圧Ｖｏｕｔと入力電圧Ｖｉｎの関係を実線Ｓに示すような関係に補正することができるように、補正電圧出力回路２５が出力電圧検出回路１０の出力側に接続されていたが、例えば、図９の鎖線ｂに示すような出力電圧Ｖｏｕｔと入力電圧Ｖｉｎの関係を実線Ｓに示すような関係に補正するためには、補正電圧出力回路２５は、図４に示すように、出力電圧検出回路１０の出力側に接続する。つまり、出力電圧検出回路１０の分圧回路の抵抗体Ｒ２，Ｒ３の直列接続体に並列に補正電圧出力回路２５を接続する。この場合においても、過電圧保護回路３０は、出力電圧検出回路１０の分圧回路における制御回路１７が接続している分圧出力位置Ｐｓよりも高電位側の分圧出力位置（つまり、抵抗体Ｒ１，Ｒ２の接続部）Ｐｋに接続する。
【００３０】
なお、図５は、図４に示す回路構成から補助コイルＮｓを省略した場合の回路構成例であり、図６は、図５に示す出力電圧検出回路１０のダイオード１１，１２の接続形態をアノード同士の接続からカソード同士の接続に代えた場合の回路構成例である。
【００３１】
さらに、この実施形態例では、二次側出力回路３や出力電圧検出回路１０の整流素子として、ダイオードを用いていたが、例えば、ダイオード５，６，１１，１２のうちの１つ以上に代えて、同期整流器を設けてもよい。このように、二次側出力回路３や出力電圧検出回路１０の回路構成は、図示の例に限定されるものではない。さらに、補正電圧出力回路２５を構成する抵抗体２８に代えて、可変抵抗体を設けてもよい。
【００３２】
さらに、この実施形態例では、フォワードコンバータタイプのスイッチング電源装置１を例にして説明したが、この発明は、フライバックコンバータタイプ等の他のタイプのスイッチング電源装置にも適用することができるものである。また、ＤＣ−ＤＣコンバータタイプだけでなく、ＡＣ−ＤＣコンバータタイプのスイッチング電源装置にも本発明は適用することができる。
【００３３】
【発明の効果】
この発明によれば、過電圧保護回路は、出力電圧検出回路の分圧回路の分圧出力位置に接続され、外部への出力電圧に応じた電圧をその分圧出力位置から検出する構成とした。その分圧出力位置から出力される電圧は、補正電圧出力回路によって、入力電圧の差違に起因した外部への出力電圧に対するずれが補正されている電圧である。このことから、出力電圧検出回路から過電圧保護回路に出力される電圧は、入力電圧が異なっても、外部への出力電圧が同じであるならば、ほぼ等しくなる。このことから、過電圧保護回路が動作する際の外部への出力電圧の基準動作点電圧が、入力電圧が異なっても、変化せずに一定となる。
【００３４】
また、制御回路が接続する分圧回路の分圧出力位置の電圧は、制御回路の回路構成によっては、過電圧状態であっても過電圧に応じた高い電圧にならない場合があり、制御回路の接続位置と同じ位置に過電圧保護回路を接続してしまうと、過電圧保護回路が過電圧状態を検知することができない虞がある。これに対して、この発明では、過電圧保護回路が接続する分圧回路の分圧出力位置は、制御回路が接続する分圧回路の分圧出力位置とは異なる位置であって、外部への出力電圧に応じて電圧が変化する分圧回路の分圧出力位置に過電圧保護回路を接続することが可能な構成であるので、過電圧保護回路は過電圧状態を検出することができて、精度良く過電圧保護動作を行うことができる。
【００３５】
上記のように、補正電圧出力回路によって入力電圧の差違に起因した出力電圧のずれを抑制することができる上に、補正電圧出力回路に起因した過電圧保護回路に関する問題（つまり、入力電圧の差違に起因して出力電圧の基準動作点電圧が異なってしまうという問題）の発生を防止することができるので、より一層信頼性の高いスイッチング電源装置を提供することができる。
【図面の簡単な説明】
【図１】この発明に係るスイッチング電源装置の一実施形態例を示す回路図である。
【図２】図１の補助コイルＮｓを省略した場合のスイッチング電源装置の一形態例を示す回路図である。
【図３】出力電圧検出回路の整流素子であるダイオードの接続形態のその他の例を示す回路図である。
【図４】補正電圧出力回路のその他の接続例を示す回路図である。
【図５】図４の補助コイルＮｓを省略した場合のスイッチング電源装置の一形態例を示す回路図である。
【図６】出力電圧検出回路の整流素子であるダイオードの接続形態のその他の例を示す回路図である。
【図７】スイッチング電源装置の一提案例を示す回路図である。
【図８】スイッチング電源装置のその他の提案例を示す回路図である。
【図９】入力電圧Ｖｉｎと出力電圧Ｖｏｕｔの関係例を示すグラフである。
【図１０】図７と図８の回路構成から補正電圧出力回路を省略した場合に、出力電圧検出回路から過電圧保護回路に出力される電圧Ｖｋと入力電圧Ｖｉｎの関係例を示すグラフである。
【図１１】図７や図８のスイッチング電源装置の動作例を説明するためのタイムチャートである。
【符号の説明】
１　スイッチング電源装置
２　トランス
１０　出力電圧検出回路
１７　制御回路
２５　補正電圧出力回路
３０　過電圧保護回路
Ｑ　メインスイッチ素子
Ｎ１　一次コイル
Ｎ２　二次コイル
Ｎ３　三次コイル
Ｒ１，Ｒ２，Ｒ３　抵抗体
【図１】
2004104920.tif 000003
【図２】
2004104920.tif 000004
【図３】
2004104920.tif 000005
【図４】
2004104920.tif 000006
【図５】
2004104920.tif 000007
【図６】
2004104920.tif 000008
【図７】
2004104920.tif 000009
【図８】
2004104920.tif 000010
【図９】
2004104920.tif 000011
【図１０】
2004104920.tif 000012
【図１１】
2004104920.tif 000013